(57)【要約】【課題】本発明は撮影した画像をプレゼンテーション等の利用形態に適した形態で画像配置して再生を行う画像再生装置を提供する。【解決手段】デジタルスチルカメラ装置１は、撮影されて記録メディア８に蓄積されている画像データを、画像処理部４で再生して、ＬＣＤ６に画像を表示するに際して、表示画像の選択方向を上下左右方向及び斜め方向等の任意の方向に移動が指示されると、ＬＣＤ６に表示する表示画像の展開されるメモリ空間の仮想平面上に任意の配列で配置されている表示画像の画像配置設定をシステム制御部２が解析し、当該選択指示された方向に配置されている画像を画像処理部４で再生してＬＣＤ６に表示する。したがって、ユーザの再生画像の利用形態、例えば、プレゼンテーション利用形態等に適した画像配置の画像を表示することができ、利用性を向上させることができる。【選択図】          図１
2004260768.tif 000002
【特許請求の範囲】
【請求項１】
画像データファイルを再生する再生手段と、前記再生手段で再生された画像データに基づいて画像を表示する表示手段と、を備えた画像再生装置において、前記表示手段に表示する表示画像の展開されるメモリ空間を有するメモリと、当該メモリ空間に仮想平面を構築して当該仮想平面上に任意の配列で表示画像を配置する画像配置設定手段と、を備えていることを特徴とする画像再生装置。
【請求項２】
前記画像配置設定手段は、前記メモリ空間の前記仮想平面に対して奥方向の仮想空間を構築して当該奥方向に対しても任意の配列で表示画像を配置することを特徴とする請求項１記載の画像再生装置。
【請求項３】
画像データファイルを再生する再生手段と、前記再生手段で再生された画像データに基づいて画像を表示する表示手段と、を備えた画像再生装置において、前記表示手段に表示する表示画像の展開されるメモリ空間を有するメモリと、当該メモリ空間の仮想平面上に任意の配列で配置されている表示画像の画像配置設定を解析する画像配置判定手段と、表示画像の選択方向を上下左右方向及び斜め方向等の任意の方向に移動させる選択指示手段と、を備え、前記メモリ空間において当該選択指示手段で選択指示された方向に配置されている画像を前記画像配置判定手段で判定して、当該判定した画像を前記再生手段で再生して前記表示手段に表示することを特徴とする画像再生装置。
【請求項４】
前記画像再生装置は、前記画像配置判定手段が、前記メモリ空間の前記仮想平面に対して奥方向の仮想空間上に任意の配列で配置されている表示画像の画像配置設定をも解析し、前記選択指示手段が、表示画像の選択方向を奥方向に対しても移動させ、前記メモリ空間において当該選択指示手段で選択指示された奥方向に配置されている画像を前記画像配置判定手段で判定して、当該判定した画像を前記再生手段で再生して前記表示手段に表示することを特徴とする請求項３記載の画像再生装置。
【請求項５】
前記画像再生装置は、前記画像配置判定手段の解析結果の画像配置情報に基づいて、前記メモリ空間に画像が存在して移動可能な方向を示すガイダンス情報を前記表示手段に表示することを特徴とする請求項３または請求項４記載の画像再生装置。
【請求項６】
前記画像再生装置は、前記画像配置判定手段の解析結果の画像配置情報に基づいて、前記画像配置の状態を示すインデックス情報を前記表示手段に表示することを特徴とする請求項１から請求項４のいずれかに記載の画像再生装置。
【請求項７】
前記画像再生装置は、前記インデックス情報を画像化したインデックス画像として前記表示手段に表示することを特徴とする請求項６記載の画像再生装置。
【請求項８】
前記画像再生装置は、前記表示手段に表示する画像の大きさを前記画像配置の大きさに応じて変化させることを特徴とする請求項１から請求項７のいずれかに記載の画像再生装置。
【請求項９】
前記画像再生装置は、前記メモリの画像が削除されると、前記画像の配列を再配置し直す画像再配置設定手段を備えていることを特徴とする請求項１から請求項８のいずれかに記載の画像再生装置。
【請求項１０】
前記画像再生装置は、前記画像配置情報を前記メモリ内の画像ファイルのメタ情報として付加することを特徴とする請求項１から請求項９のいずれかに記載の画像再生装置。
【発明の詳細な説明】
【０００１】
【発明の属する技術分野】
本発明は、画像再生装置に関し、詳細には、撮像した画像をプレゼンテーション等の利用形態に適した形態で画像配置して再生を行う画像再生装置に関する。
【０００２】
【従来の技術】
【特許文献１】
特開２０００−３４１６３６号公報
【特許文献２】
特開平１１−３０８４９３号公報
【非特許文献１】
ＲＤＣ−ｉ７００（リコー製デジタルカメラ）取扱説明書
近時、レンズを通してＣＣＤ等の受光素子上に結像された静止画像データを電子情報としてメモリカード等の記憶媒体に記録を行う電子スチルカメラ、いわゆるデジタルカメラが、撮影した画像をその場で再生できるという特徴から様々な分野で活用されてきている。
【０００３】
また、デジタルカメラは、小型、軽量であり、可搬性が良好であることから、撮影した画像に限らず、パソコンで作成した画像をカメラに転送し、プレゼンテーションツールとして用いる使用方法も行われている（非特許文献１参照）。
【０００４】
そして、従来、デジタルカメラにおいては、利用者が、撮影に先立ち、種々のキー、ダイヤルを操作して、撮影モード（高画質モード、低画質モード等）を決定すると、利用者の操作内容を、システム制御部が判別して、操作に応じたガイダンスグラフィックを生成し、表示部に表示して、利用者に次の操作を促す。
【０００５】
システム制御部は、撮影モードが決定されると、モードに応じた処理パラメタを画像処理部へ設定し、または、利用者がズームレバーを手動操作して、画角（構図）を決定する。このとき、システム制御部は、利用者の操作内容を判別し、操作に応じて撮像部を制御して、レンズを駆動する。
【０００６】
撮像部は、画像処理部の制御に従って、実際の撮影に先だって、プレビュー画像をＬＣＤ（Ｌｉｑｕｉｄ  Ｃｒｙｓｔａｌ  Ｄｉｓｐｌａｙ）等の表示部に表示するための撮像動作を開始する。
【０００７】
デジタルカメラは、この撮像部の撮像した画像データを、連続的に画像処理部へ送り、画像処理部で、色空間変換、ガンマ補正、ホワイトバランス調整等の画像処理を施した後、画像データを表示制御部へ送る。また、この時、画像処理部は、同時に、フォーカス、露出の検出を行い、撮像部を制御して調整を行う。
【０００８】
表示制御部は、画像データを信号処理して表示部に撮像した画像を表示し、利用者に撮像状態を提示する。
【０００９】
次に、デジタルカメラは、レリーズボタンが押されると、システム制御部が、当該レリーズボタンの押下を判別し、撮像部が、画像処理部の制御に従って、所定の画像を取り込んで、画像処理部へ送る。画像処理部は、送られてきた画像に対して、撮影モードに応じた画像処理、圧縮処理を行う。
【００１０】
システム制御部は、圧縮された画像データを読み出して、ヘッダー情報を付加した後、記録メディアインターフェイス部を通じて記録メディアへ画像データを書き込む。
【００１１】
このとき、ヘッダー情報として付加されるファイル名は、予め決められた文字列（例えば、「ＲＩＭＧ」等）＋連続番号として自動的に割り振られる。この連続番号は、既に記録メディア内に記録されているファイルのファイル名の連続番号＋１であり、例えば「ＲＩＭＧ３４３．ｊｐｇ、ＲＩＭＧ３４４．ｊｐｇ．．」と割り振られる。記録メディア内にファイルが存在しない場合には、連続番号１とし「ＲＩＭＧ００１．ｊｐｇ」となる。また、システム制御部は、同時に記録メディア内のファイル管理情報の更新も行う。以上の動作処理で、１枚の撮影動作を完了する。
【００１２】
上述のようにして撮影されて記録メディア内に画像データが蓄積されると、デジタルカメラは、利用者の操作に応じて、記憶メディア内の画像データを再生する。この再生処理では、従来のデジタルカメラは、以下のように再生処理を行っている。
【００１３】
すなわち、デジタルカメラは、利用者が再生操作を行うと、システム制御部がこの再生操作を判別し、記録メディアインターフェイス部を通じて記録メディア内のファイル管理情報を読み出し、ファイル名のフォーマット（例えば、「ＲＩＭＧ」＋連続番号）に従うファイルに対して、若い番号順にコマ番号を割り振って、図１２に示すようなコマ番号管理テーブルを作成する。このとき、システム制御部は、フォーマットに従っていないファイルについては無視する。このコマ番号は、「１」からの連続番号であり、システム制御部は、以降、通常の再生処理において、ファイルの指定を、コマ番号から図１２に示すコマ番号管理テーブルを参照することで行う。
【００１４】
そして、システム制御部は、記録メディアインターフェイス部を介して記録メディアから最大のコマ番号のファイルを読み出して、システム制御部内のメモリ上に書き込み、メモリ上のデータからヘッダー情報を解析して、ＪＰＥＧ伸長に必要な処理パラメタを抽出して画像処理部へ設定した後、圧縮されている画像データを画像処理部へ転送する。
【００１５】
画像処理部は、転送されてきた圧縮画像データをＪＰＥＧ伸張した後、当該ＪＰＥＧ伸長を行った画像データをシステム制御部内のメモリへ格納し、システム制御部は、ＪＰＥＧ伸長が完了すると、システム制御部内のメモリアドレス及び画像サイズに基づいた変換倍率を表示制御部へ設定する。
【００１６】
表示制御部は、システム制御部内の所定のメモリから画像データを読み出し、信号処理して、表示部に表示して、利用者へ再生画像を提示する。
【００１７】
すなわち、従来のデジタルカメラは、その画像再生において、以下の形態を有している（非特許文献１参照）。
【００１８】
１）予め決められたルールや設定に従って順次画像を再生、表示する
２）複数の画像をまとめて表示する
３）画像を拡大して表示する
また、従来、デジタルカメラにおいては、画像を分類するためにカテゴリ名を付与して分類したり、グループ分けを行ってそれらをまとめて表示する機能等も提案されている（特許文献１及び特許文献２参照）。
【００１９】
すなわち、従来、所定の撮影画像に付与するカテゴリ名をユーザが選択すると、プログラムモジュールが、当該選択されたカテゴリ名に応じて、所定の撮影画像を所定のカテゴリに関連付けを行うデジタルカメラが提案されている（特許文献１参照）。
【００２０】
また、従来、記憶媒体に記憶された撮影済み画像のうちの二枚以上の画像をまとめて表示する平面表示装置のマルチ画面表示に表示された任意の複数の画像の表示位置に基づいて当該複数の画像の記憶媒体内における記憶位置が位置特定手段で特定されると、当該特定された各画像の記憶位置または各画像に対応して記憶された記憶位置を表す情報を入れ換えるディジタルカメラが提案されている（特許文献２参照）。
【００２１】
【発明が解決しようとする課題】
しかしながら、このような従来のデジタルカメラ等の画像再生装置にあっては、上記列記した形態の再生機能を有しており、また、カテゴリで分類したりグループ分けする提案が行われているが、再生形態において、なお、利用性が悪いという問題があった。特に、デジタルカメラで撮影した画像をプレゼンテーションに利用する場合、プレゼンテーションでの画像の利用形態を考慮すると、上記再生形態だけでは、不十分であり、利用性が悪いという問題があった。
【００２２】
そこで、本発明は、プレゼンテーションに利用する場合等にも、利用性の良好な再生形態の画像再生を行って、利用性の良好な画像再生装置を提供することを目的としている。
【００２３】
具体的には、請求項１記載の発明は、再生手段で再生された画像データに基づいて表示手段に画像を表示する際に、表示手段に表示する表示画像の展開されるメモリのメモリ空間に、画像設定手段で、仮想平面を構築して当該仮想平面上に任意の配列で表示画像を配置することにより、ユーザの再生画像の利用形態、例えば、プレゼンテーション利用形態等に適した画像配置を行い、当該画像配置に基づいて表示して、利用性の良好な画像再生装置を提供することを目的としている。
【００２４】
請求項２記載の発明は、画像配置設定手段が、メモリ空間の仮想平面に対して奥方向の仮想空間を構築して当該奥方向に対しても任意の配列で表示画像を配置することにより、ユーザの再生画像の利用形態、例えば、プレゼンテーション利用形態等により一層適した画像配置を行い、当該画像配置に基づいて表示して、利用性のより一層良好な画像再生装置を提供することを目的としている。
【００２５】
請求項３記載の発明は、再生手段で再生された画像データに基づいて画像を表示手段に表示するに際して、表示手段に表示する表示画像の展開されるメモリのメモリ空間の仮想平面上に任意の配列で配置されている表示画像の画像配置設定を画像配置判定手段で解析し、表示画像の選択方向を上下左右方向及び斜め方向等の任意の方向に移動させる選択指示手段で選択指示された方向に配置されている画像を再生手段で再生して表示手段に表示することにより、ユーザの再生画像の利用形態、例えば、プレゼンテーション利用形態等に適した画像配置の画像を表示し、利用性の良好な画像再生装置を提供することを目的としている。
【００２６】
請求項４記載の発明は、画像配置判定手段が、メモリ空間の仮想平面に対して奥方向の仮想空間上に任意の配列で配置されている表示画像の画像配置設定をも解析し、選択指示手段が、表示画像の選択方向を奥方向に対しても移動させ、メモリ空間において当該選択指示手段で選択指示された奥方向に配置されている画像を画像配置判定手段で判定して、当該判定した画像を再生手段で再生して表示手段に表示することにより、ユーザの再生画像の利用形態、例えば、プレゼンテーション利用形態等により一層適した画像配置の画像を表示し、利用性のより一層良好な画像再生装置を提供することを目的としている。
【００２７】
請求項５記載の発明は、画像配置判定手段の解析結果の画像配置情報に基づいて、メモリ空間に画像が存在して移動可能な方向を示すガイダンス情報を表示手段に表示することにより、画像画存在して移動可能な方向が分かるようにし、より一層利用性の良好な画像再生装置を提供することを目的としている。
【００２８】
請求項６記載の発明は、画像配置判定手段の解析結果の画像配置情報に基づいて、画像配置の状態を示すインデックス情報を表示手段に表示することにより、画像配置の状態が容易に把握できるようにし、より一層利用性の良好な画像再生装置を提供することを目的としている。
【００２９】
請求項７記載の発明は、インデックス情報を画像化したインデックス画像として表示手段に表示することにより、画像配置の状態がより一層容易に把握できるようにし、より一層利用性の良好な画像再生装置を提供することを目的としている。
【００３０】
請求項８記載の発明は、表示手段に表示する画像の大きさを画像配置の大きさに応じて変化させることにより、画像配置の全体像を容易に把握できるようにし、より一層利用性の良好な画像再生装置を提供することを目的としている。
【００３１】
請求項９記載の発明は、メモリの画像が削除されると、画像再配置設定手段で、画像の配列を再配置し直すことにより、画像配置を手操作でいちいち設定し直す手間を省き、より一層利用性の良好な画像再生装置を提供することを目的としている。
【００３２】
請求項１０記載の発明は、画像配置情報をメモリ内の画像ファイルのメタ情報として付加することにより、画像配置の設定の有無を意識することなく、画像ファイルの複製や移動を行っても、画像配置を維持し、より一層利用性の良好な画像再生装置を提供することを目的としている。
【００３３】
【課題を解決するための手段】
請求項１記載の発明の画像再生装置は、画像データファイルを再生する再生手段と、前記再生手段で再生された画像データに基づいて画像を表示する表示手段と、を備えた画像再生装置において、前記表示手段に表示する表示画像の展開されるメモリ空間を有するメモリと、当該メモリ空間に仮想平面を構築して当該仮想平面上に任意の配列で表示画像を配置する画像配置設定手段と、を備えていることにより、上記目的を達成している。
【００３４】
上記構成によれば、再生手段で再生された画像データに基づいて表示手段に画像を表示する際に、表示手段に表示する表示画像の展開されるメモリのメモリ空間に、画像設定手段で、仮想平面を構築して当該仮想平面上に任意の配列で表示画像を配置するので、ユーザの再生画像の利用形態、例えば、プレゼンテーション利用形態等に適した画像配置を行うことができ、当該画像配置に基づいて表示して、利用性を向上させることができる。
【００３５】
この場合、例えば、請求項２に記載するように、前記画像配置設定手段は、前記メモリ空間の前記仮想平面に対して奥方向の仮想空間を構築して当該奥方向に対しても任意の配列で表示画像を配置するものであってもよい。
【００３６】
上記構成によれば、画像配置設定手段が、メモリ空間の仮想平面に対して奥方向の仮想空間を構築して当該奥方向に対しても任意の配列で表示画像を配置するので、ユーザの再生画像の利用形態、例えば、プレゼンテーション利用形態等により一層適した画像配置を行うことができ、当該画像配置に基づいて表示して、利用性をより一層向上させることができる。
【００３７】
請求項３記載の発明の画像再生装置は、画像データファイルを再生する再生手段と、前記再生手段で再生された画像データに基づいて画像を表示する表示手段と、を備えた画像再生装置において、前記表示手段に表示する表示画像の展開されるメモリ空間を有するメモリと、当該メモリ空間の仮想平面上に任意の配列で配置されている表示画像の画像配置設定を解析する画像配置判定手段と、表示画像の選択方向を上下左右方向及び斜め方向等の任意の方向に移動させる選択指示手段と、を備え、前記メモリ空間において当該選択指示手段で選択指示された方向に配置されている画像を前記画像配置判定手段で判定して、当該判定した画像を前記再生手段で再生して前記表示手段に表示することにより、上記目的を達成している。
【００３８】
上記構成によれば、再生手段で再生された画像データに基づいて画像を表示手段に表示するに際して、表示手段に表示する表示画像の展開されるメモリのメモリ空間の仮想平面上に任意の配列で配置されている表示画像の画像配置設定を画像配置判定手段で解析し、表示画像の選択方向を上下左右方向及び斜め方向等の任意の方向に移動させる選択指示手段で選択指示された方向に配置されている画像を再生手段で再生して表示手段に表示するので、ユーザの再生画像の利用形態、例えば、プレゼンテーション利用形態等に適した画像配置の画像を表示することができ、利用性を向上させることができる。
【００３９】
この場合、例えば、請求項４に記載するように、前記画像再生装置は、前記画像配置判定手段が、前記メモリ空間の前記仮想平面に対して奥方向の仮想空間上に任意の配列で配置されている表示画像の画像配置設定をも解析し、前記選択指示手段が、表示画像の選択方向を奥方向に対しても移動させ、前記メモリ空間において当該選択指示手段で選択指示された奥方向に配置されている画像を前記画像配置判定手段で判定して、当該判定した画像を前記再生手段で再生して前記表示手段に表示するものであってもよい。
【００４０】
上記構成によれば、画像配置判定手段が、メモリ空間の仮想平面に対して奥方向の仮想空間上に任意の配列で配置されている表示画像の画像配置設定をも解析し、選択指示手段が、表示画像の選択方向を奥方向に対しても移動させ、メモリ空間において当該選択指示手段で選択指示された奥方向に配置されている画像を画像配置判定手段で判定して、当該判定した画像を再生手段で再生して表示手段に表示するので、ユーザの再生画像の利用形態、例えば、プレゼンテーション利用形態等により一層適した画像配置の画像を表示することができ、利用性をより一層向上させることができる。
【００４１】
上記請求項３及び請求項４の場合、例えば、請求項５に記載するように、前記画像再生装置は、前記画像配置判定手段の解析結果の画像配置情報に基づいて、前記メモリ空間に画像が存在して移動可能な方向を示すガイダンス情報を前記表示手段に表示するものであってもよい。
【００４２】
上記構成によれば、画像配置判定手段の解析結果の画像配置情報に基づいて、メモリ空間に画像が存在して移動可能な方向を示すガイダンス情報を表示手段に表示するので、画像画存在して移動可能な方向が分かるようにすることができ、利用性をより一層向上させることができる。
【００４３】
また、上記請求項１から請求項４の場合、例えば、請求項６に記載するように、前記画像再生装置は、前記画像配置判定手段の解析結果の画像配置情報に基づいて、前記画像配置の状態を示すインデックス情報を前記表示手段に表示するものであってもよい。
【００４４】
上記構成によれば、画像配置判定手段の解析結果の画像配置情報に基づいて、画像配置の状態を示すインデックス情報を表示手段に表示するので、画像配置の状態が容易に把握できるようにすることができ、利用性をより一層向上させることができる。
【００４５】
さらに、請求項６の場合、例えば、請求項７に記載するように、前記画像再生装置は、前記インデックス情報を画像化したインデックス画像として前記表示手段に表示するものであってもよい。
【００４６】
上記構成によれば、インデックス情報を画像化したインデックス画像として表示手段に表示するので、画像配置の状態がより一層容易に把握できるようにすることができ、利用性をより一層向上させることができる。
【００４７】
また、上記各場合において、例えば、請求項８に記載するように、前記画像再生装置は、前記表示手段に表示する画像の大きさを前記画像配置の大きさに応じて変化させるものであってもよい。
【００４８】
上記構成によれば、表示手段に表示する画像の大きさを画像配置の大きさに応じて変化させるので、画像配置の全体像を容易に把握できるようにすることができ、利用性をより一層向上させることができる。
【００４９】
さらに、上記各場合において、例えば、請求項９に記載するように、前記画像再生装置は、前記メモリの画像が削除されると、前記画像の配列を再配置し直す画像再配置設定手段を備えているものであってもよい。
【００５０】
上記構成によれば、メモリの画像が削除されると、画像再配置設定手段で、画像の配列を再配置し直すので、画像配置を手操作でいちいち設定し直す手間を省くことができ、利用性をより一層向上させることができる。
【００５１】
また、上記各場合において、例えば、請求項１０に記載するように、前記画像再生装置は、前記画像配置情報を前記メモリ内の画像ファイルのメタ情報として付加するものであってもよい。
【００５２】
上記構成によれば、画像配置情報をメモリ内の画像ファイルのメタ情報として付加するので、画像配置の設定の有無を意識することなく、画像ファイルの複製や移動を行っても、画像配置を維持することができ、利用性をより一層向上させることができる。
【００５３】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５４】
図１〜図１１は、本発明の画像再生装置の一実施の形態を示す図であり、図１は、本発明の画像再生装置の一実施の形態を適用したデジタルスチルカメラ装置１のブロック構成図である。
【００５５】
図１において、デジタルスチルカメラ装置１は、システム制御部２、撮像部３、画像処理部４、表示制御部５、ＬＣＤ（Ｌｉｑｕｉｄ  Ｃｒｙｓｔａｌ  Ｄｉｓｐｌａｙ）６、記録メディアインターフェイス部７、記録メディア８及びハードキーインターフェイス部９等を備えている。
【００５６】
システム制御部（画像配置設定手段、画像配置判定手段、画像再配置設定手段）２は、メインＣＰＵ（Ｃｅｎｔｒａｌ  Ｐｒｏｃｅｓｓｉｎｇ  Ｕｎｉｔ  ）、メモリ、タイマ−等を備え、メモリ内のプログラムに基づいて、デジタルスチルカメラ装置１の各部を制御して、デジタルスチルカメラ装置１としての基本処理を行うとともに、後述する画像再生処理を行う。特に、システム制御部２は、メモリのメモリ空間に表示画像を展開するか宗平面を構築して、当該仮想平面上に任意の配列で表示画像を配置し、また、メモリ空間の仮想平面上に任意の配列で配置されている表示画像の画像配置設定を解析する。
【００５７】
撮像部３は、光学系部品（レンズ及びレンズ駆動モータ）、ＣＣＤ（Ｃｈａｒｇｅ  Ｃｏｕｐｌｅｄ  Ｄｅｖｉｃｅ  ）、ＣＣＤ駆動回路、Ａ／Ｄ変換器等を備え、被写体からの光を光学系部品でＣＣＤに集光して、ＣＣＤ駆動回路で駆動されるＣＣＤで光電変換した画像信号をＡ／Ｄ変換器でデジタル画像信号に変換することで撮影する。
【００５８】
画像処理部（再生手段）４は、画像処理用ＤＳＰ（デジタルシグナルプロセッサ）及びメモリ等を備え、撮像部３で撮影された画像のデジタル画像信号に種々の画像処理を施すとともに、撮像部３のＣＣＤ駆動タイミング、レンズ駆動モータを制御して、フォーカシング、露出調整等を行い、また、画像の圧縮伸長処理を行う。
【００５９】
表示制御部５は、Ｄ／Ａ変換器及びオンスクリーンディスプレイ（ＯＳＤ）コントローラ等を備え、画像処理部４で処理されたデジタル画像信号をＬＣＤ６へ表示するための信号処理を行い、また、ユーザーインターフェイスのための種々のグラフィック画像を生成してＬＣＤ６へ表示する。
【００６０】
ＬＣＤ（表示手段）６は、表示制御部５の制御下で、画像を表示し、また、ユーザーインターフェイスのためのグラフィックを表示する。
【００６１】
記録メディアインターフェイス部７は、記録メディア８が着脱可能に挿入されるメディア挿入部やメモリカードコントローラ等を備え、メディア挿入部に挿入された記録メディア８とのインターフェイスを行う。
【００６２】
記録メディア８は、フラッシュメモリ等が用いられ、記録メディアインターフェイス部７に着脱可能に挿入されて、圧縮された画像信号や画像に纏わる種々の情報を記憶する。
【００６３】
ハードキーインターフェイス部９は、サブＣＰＵ等を備え、図示しないキー、ダイアル等のユーザーインターフェイスの状態検出を行い、また、システム制御部２のメインＣＰＵへの主電源制御を行う。
【００６４】
このハードキーインターフェイス部９には、図示しないが、操作部（選択指示手段）が接続されており、当該操作部には、デジタルスチルカメラ装置１のモード（撮影モード、再生モード等）を設定するモードダイヤル、再生モードをプレゼンテーションモードに設定するプレゼンテーション設定キー、プレゼンテーションの開始を指示するプレゼンテーション開始キー、ＬＣＤ６に表示されている注目画像表示を上下左右及び前後に移動指示する上キー、下キー、左キー、右キー、前キー、後キー、選択内容の決定を指示するＥＮＴＥＲキー、削除キー及び設定追加キー等の各種キーが設けられている。
【００６５】
次に、本実施の形態の作用を説明する。本実施の形態のデジタルスチルカメラ装置１は、撮影した画像の画像データを記録メディア８に格納した後、再生する際に、利用形態に適した形態で配置して再生する。
【００６６】
デジタルスチルカメラ装置１は、撮影動作では、上記従来と同様に処理する。すなわち、利用者が、撮影に先立ち、種々のキー、ダイヤルを操作して、撮影モード（高画質モード、低画質モード等）を決定すると、利用者の操作内容を、ハードキーインターフェイス部９を介してシステム制御部２が判別して、操作に応じたガイダンスグラフィックを生成し、表示制御部５を介してＬＣＤ６に表示して、利用者に次の操作を促す。
【００６７】
システム制御部２は、撮影モードが決定されると、モードに応じた処理パラメタを画像処理部４へ設定し、または、利用者がズームレバーを手動操作して、画角（構図）を決定する。このとき、システム制御部２は、利用者の操作内容を判別し、操作に応じて撮像部３を制御して、レンズを駆動する。
【００６８】
撮像部３は、画像処理部４の制御に従って、実際の撮影に先だって、プレビュー画像をＬＣＤ６に表示するための撮像動作を開始する。
【００６９】
デジタルスチルカメラ装置１は、撮像部３の撮像した画像データを、連続的に画像処理部４へ送り、画像処理部４で、色空間変換、ガンマ補正、ホワイトバランス調整等の画像処理を施した後、画像データを表示制御部５へ送る。また、このとき、画像処理部４は、同時に、フォーカス、露出の検出を行い、撮像部３を制御して調整を行う。
【００７０】
表示制御部５は、画像データを信号処理してＬＣＤ６に撮像した画像を表示し、利用者に撮像状態を提示する。
【００７１】
次に、デジタルスチルカメラ装置１は、レリーズボタンが押されると、システム制御部２が、当該レリーズボタンの押下を判別し、撮像部３が、画像処理部４の制御に従って、所定の画像を取り込んで、画像処理部４へ送る。画像処理部４は、送られてきた画像に対して、撮影モードに応じた画像処理、圧縮処理を行う。
【００７２】
システム制御部４は、圧縮された画像データを読み出して、ヘッダー情報を付加した後、記録メディアインターフェイス部７を通じて記録メディア８へ画像データを書き込む。
【００７３】
このとき、ヘッダー情報として付加されるファイル名は、従来と同様に、予め決められた文字列（例えば、「ＲＩＭＧ」等）＋連続番号として自動的に割り振られる。この連続番号は、例えば、既に記録メディア内に記録されているファイルのファイル名の連続番号＋１であり、例えば「ＲＩＭＧ３４３．ｊｐｇ、ＲＩＭＧ３４４．ｊｐｇ．．」と割り振られる。記録メディア内にファイルが存在しない場合には、連続番号１とし「ＲＩＭＧ００１．ｊｐｇ」となる。また、システム制御部は、同時に記録メディア内のファイル管理情報の更新も行う。以上の動作処理で、１枚の撮影動作を完了する。
【００７４】
上述のようにして撮影されて記録メディア８内に画像データが蓄積されると、デジタルスチルカメラ装置１は、利用者の操作に応じて、記憶メディア８内の画像データを再生する。
【００７５】
すなわち、デジタルスチルカメラ装置１は、利用者の操作により再生が指示されると、その操作内容が撮影動作の場合と同様に、ハードキーインターフェイス部９を介してシステム制御部２が判別して、システム制御部２が、記録メディアインターフェイス部７を介して記録メディア８内のファイル管理情報を読み出して、上記ファイル名のフォーマット（「ＲＩＭＧ」＋連続番号）に対応するファイルに対して、若い番号順にコマ番号を割り振って、上記図１２に示したようなコマ番号管理テーブルを作成する。
【００７６】
システム制御部２は、上述のようにして、再生の準備処理を完了すると、図２に示すように再生処理を行う。すなわち、システム制御部２は、図２に示すように、記録メディアインターフェイス部７を介して記録メディア８内から、最大のコマ番号、すなわち、最終コマの再生を行う（ステップＳ１０１）。すなわち、システム制御部２は、最終コマのファイルを記録メディア８から読み出すと、システム制御部２内のメモリ上に書き込み、メモリ上のデータからヘッダー情報を解析して、ＪＰＥＧ伸長に必要な処理パラメタを抽出して画像処理部４へ設定し、圧縮されている画像データを画像処理部４へ転送する。画像処理部４は、ＪＰＥＧ伸長を行った画像データをシステム制御部２内のメモリへ格納し、システム制御部２は、ＪＰＥＧ伸長が完了するとシステム制御部２内のメモリアドレス及び画像サイズに基づいた変換倍率を表示制御部５へ設定する。表示制御部５は、システム制御部２内の所定のメモリから画像データを読み出し、信号処理してＬＣＤ０６へ表示して、利用者へ再生状態を提示する。
【００７７】
そして、システム制御部２は、最終コマの再生・表示を行うと、ハードキーインターフェイス部９を介して利用者の操作入力を監視して、プレゼンテーション設定キーが押されたかチェックし（ステップＳ１０２）、プレゼンテーションが押されると、プレゼンテーション設定処理を起動して（ステップＳ１０３）、プレゼンテーション開始キーが押されたかチェックする（ステップＳ１０４）。なお、プレゼンテーション設定処理については、後述する。
【００７８】
ステップＳ１０４で、プレゼンテーション開始キーが押されると、システム制御部２は、プレゼンテーション処理を起動して、プレゼンテーション処理を行い（ステップＳ１０５）、右キー（コマ送り）あるいは左キー（コマ戻し）が押されたかチェックする（ステップＳ１０６）。なお、プレゼンテーション処理については、後述する。
【００７９】
そして、上記ステップＳ１０２及びステップＳ１０４で、プレゼンテーション設定キーが押されず、また、プレゼンテーション開始キーが押されないときには、システム制御部２は、ステップＳ１０６に移行して、右キー（コマ送り）あるいは左キー（コマ戻し）が押されたかチェックする（ステップＳ１０６）。
【００８０】
ステップＳ１０６で、右キー（コマ送り）または左キー（コマ戻し）が押されると、システム制御部２は、次のコマ（コマ送り時）または前のコマ（コマ戻し時）のシステム制御部２内の所定のメモリから画像データを読み出し、信号処理してＬＣＤ０６へ表示して、利用者へ再生状態を提示する（ステップＳ１０７）。このとき、次のコマが無い場合には、システム制御部２は、一巡して先頭コマを再生・表示し、また、前コマが無い場合には、一巡して最終コマを再生・表示する。
【００８１】
ステップＳ１０７で、次のコマまたは前のコマの再生・表示を行うか、ステップＳ１０６で、右キー（コマ送り）または左キー（コマ戻し）が押されないときには、システム制御部２は、削除キーが押されたかチェックし（ステップＳ１０８）、削除キーが押されると、削除処理を行う（ステップＳ１０９）。なお、削除処理については、後述する。
【００８２】
ステップＳ１０９で、削除処理を行うか、または、ステップＳ１０８で、削除キーが押されないときには、システム制御部２は、モードダイヤルが再生以外に設定されてモード変更の指示操作があったかチェックし（ステップＳ１１０）、モード変更指示操作がないときには、ステップＳ１０２に戻って、上記同様の処理を繰り返し行う（ステップＳ１０２〜Ｓ１１０）。
【００８３】
ステップＳ１１０で、モード変更指示操作があると、再生処理を終了する。
【００８４】
そして、デジタルスチルカメラ装置１は、上記ステップＳ１０２でプレゼンテーション設定キーが押されると、プレゼンテーション設定処理を行うが、このプレゼンテーション設定処理は、図３及び図４に示すように処理する。
【００８５】
すなわち、システム制御部２は、プレゼンテーション設定キーが押されると、プレゼンテーション設定処理を起動し、図３に示すように、記録メディアインターフェイス部７を介して記録メディア８内に、図５に示すようなプレゼンテーション設定ファイルが既に存在するか否かチェックし（ステップＳ２０１）、プレゼンテーション設定ファイルがあると、当該プレゼンテーション設定ファイルを読み出す（ステップＳ２０２）。また、ステップＳ２０１で、プレゼンテーション設定ファイルがないときには、システム制御部２は、初期状態のプレゼンテーション設定ファイルを作成する（ステップＳ２０３）。
【００８６】
システム制御部２は、初期状態のプレゼンテーション設定ファイルを作成する場合、初期状態のファイルとして、プレゼンテーションの設定処理が起動された際にＬＣＤ６に表示していた画像ファイルを起点ファイルとして登録する。
【００８７】
なお、プレゼンテーション設定ファイルは、図５に示すように、ファイル名、属性、上方向ファイル名、下方向ファイル名、左方向ファイル名、右方向ファイル名、前方向ファイル名及び後方向ファイル名の各項目からなっており、ファイル名は、設定に追加されたファイルのファイル名、属性は、起点のファイルか否か、起点ファイルでは無い場合にはどちらの方向から追加されたファイルであるのか（起点方向）を示す属性データであり、実際のファイルには左記の内容に一意に対応した符号が割り当てられる。上方向ファイル名から後方向ファイル名は、それぞれ上方向、下方向、左方向、右方向、前方向、後方向に連結されているファイルのファイル名を示している。
【００８８】
次に、システム制御部２は、プレゼンテーション設定ファイルに基づいて、図６に示すような設定確認画面６ａを作成し、表示制御部５を介してＬＣＤ６に表示を行う（ステップＳ２０４）。システム制御部２は、この設定確認画面６ａの作成にあたっては、設定されている各ファイルを読み出し、上記再生手順で再生を行って、設定されている配置に基づいて画像を配置する。
【００８９】
なお、図６において、波線枠であるフォーカス枠Ｆａで囲まれた画像１１は、現在フォーカスされている画像を示しており、初期状態で起点画像に設定される。また、前後方向に配置されている画像や配置が重なって表示できない画像があった場合には、画像１２に示すように、画像の下（奥）に重ね合わせた重ね合わせ枠（ガイダンス情報）Ｊａを表示し、この先に表示しきれない画像が存在することを利用者に提示する。また、図６では、画面表示を図形で描いているが、実際には、撮影した写真画像がＬＣＤ６に表示される。
【００９０】
次に、システム制御部２は、フォーカス枠Ｆａの移動の指示入力操作（上キー、下キー、左キー、右キー、前キー、後キーの何れかの操作）があるかチェックし（ステップＳ２０５）、フォーカス枠Ｆａの移動の指示入力操作があると、現在の設定確認画面６ａの表示状態から移動可能であるか否かを判別する（ステップＳ２０６）。ステップＳ２０６で、移動可能であると、システム制御部２は、フォーカス枠Ｆａを移動して、表示内容の更新を行い（ステップＳ２０７）、画面移動の指示入力操作（ＥＮＴＥＲキーの入力操作）があるかチェックする（ステップＳ２０８）。
【００９１】
ステップＳ２０６で、配置画像が存在しておらずフォーカス枠Ｆａの移動ができないときには、システム制御部２は、ステップＳ２０８に移行して、画面移動の指示入力操作があるかチェックし、また、ステップＳ２０５で、フォーカス枠Ｆａの移動の指示入力操作がないときには、ステップＳ２０８に移行して、画面移動の指示入力操作があるかチェックする（ステップＳ２０８）。
【００９２】
ステップＳ２０８で、画面移動の指示入力（ＥＮＴＥＲキー）があると、システム制御部２は、現在の設定確認画面６ａの表示状態から画面移動可能であるか否かを判別する（ステップＳ２０９）。ここで画面移動とは、ＬＣＤ６に表示しきれなかった配置状態を表示するための別画面への移動を示しており、例えば、図６に示す画像１２のように、重ね合わせ枠Ｊａが表示されている画像にフォーカス枠Ｆａがあってフォーカスされている場合にのみ有効となる。
【００９３】
ステップＳ２０９で、画面移動が可能であると、システム制御部２は、設定ファイルに基づいて、図７に示すような設定確認画面６ｂを作成し、表示制御部５を介してＬＣＤ６に表示を行って（ステップＳ２１０）、図４に示すように、設定の追加の指示入力操作（設定追加キーと上キー、下キー、左キー、右キー、前キー、後キーの何れかの同時押下）があるかチェックする（ステップＳ２１１）。なお、図７では、画面表示を図形で描いているが、実際には、撮影した写真画像がＬＣＤ６に表示される。
【００９４】
また、図３のステップＳ２０９で、画面移動ができないとき、または、ステップＳ２０８で、画面移動指示操作がないときには、システム制御部２は、図４のステップＳ２１１に移動して、設定の追加の指示入力操作があるかチェックする（ステップＳ２１１）。
【００９５】
ステップＳ２１１で、設定の追加の指示入力操作があると、システム制御部２は、図８に示すような設定確認画面６ｄを作成し、表示制御部５を介してＬＣＤ６に表示を行う（ステップＳ２１２）。なお、図８では、画面表示を図形で描いているが、実際には、撮影した写真画像がＬＣＤ６に表示される。
【００９６】
図７の表示画面６ｃ、６ｄは、設定の追加の操作に応じた画面表示の遷移を示しており、表示画面６ｃを表示している状態で設定追加キーと左キーが同時押下されると、表示画面６ｄの表示に切り換える。そして、図７の画像１３は、操作により左側に追加された配列であり、システム制御部２は、設定の追加があると、まず、最終コマ番号の画像を追加挿入し、かつ、フォーカスも追加画像１３に移動させるとともに、追加したた配列がＬＣＤ６の表示領域内に収まるような変換倍率を表示制御部５へ設定する。
【００９７】
システム制御部２は、設定確認画面６ｄを表示すると、右キー（コマ送り）あるいは左キー（コマ戻し）が押されたかチェックし（ステップＳ２１３）、右キーまたは左キーが押されると、次のコマ（コマ送り時）あるいは前のコマ（コマ戻し時）を再生してフォーカスされている配列、例えば、図８の画像１３の配列の更新を行って、ＬＣＤ６の画面表示を、図８の表示画面６ｅのように更新する（ステップＳ２１４）。
【００９８】
この場合、システム制御部２は、次のコマが無い場合には、一巡して先頭コマを再生・表示し、前のコマが無い場合には、一巡して最終コマを再生、表示する。
【００９９】
次に、システム制御部２は、追加する画像の確定の指示入力（ＥＮＴＥＲキー）があるかチェックし（ステップＳ２１５）、追加する画像の確定の指示入力（ＥＮＴＥＲキー）があると、設定ファイルを更新して（ステップＳ２１６）、削除の指示入力（削除キー）があるかチェックする（ステップＳ２１７）。
【０１００】
システム制御部２は、このプレゼンテーション設定ファイルの更新においては、図５に示したプレゼンテーション設定ファイルに、追加された画像のエントリを追加するとともに、結合元の設定内容も更新する。
【０１０１】
ステップＳ２１３で、コマ送りまたはコマ戻しの指示操作が無いときには、ステップＳ２１５に移行して、追加する画像の確定の指示入力（ＥＮＴＥＲキー）があるかチェックし（ステップＳ２１５）、確定指示操作がないときには、ステップＳ２１３に戻って、上記同様に処理する（ステップＳ２１３〜Ｓ２１５）。
【０１０２】
また、上記ステップＳ２１１で、追加指示操作がないときには、システム制御部２は、削除指示操作があるかチェックし（ステップＳ２１７）、削除指示操作があると、削除処理を起動する（ステップＳ２１８）。なお、削除処理については、後述する。
【０１０３】
システム制御部２は、削除処理を行うと、削除後の設定に基づいて設定確認画面を作成し、表示制御部５を介してＬＣＤ６に表示し（ステップＳ２１９）、プレゼンテーション設定キーが押されたか、すなわち、プレゼンテーション設定終了指示操作があったかチェックし（ステップＳ２２０）、プレゼンテーション設定終了指示操作がないときには、ステップＳ２０５に戻って、上記同様に処理する（ステップＳ２０５〜Ｓ２２０）。
【０１０４】
ステップＳ２２０で、プレゼンテーション設定終了指示操作があると、システム制御部２は、プレゼンテーション設定処理を終了する。
【０１０５】
そして、デジタルスチルカメラ装置１は、上記図２のステップＳ１０４でプレゼンテーション開始キーが押されると、プレゼンテーション処理を行うが、このプレゼンテーション処理は、図９に示すように処理する。
【０１０６】
すなわち、システム制御部２は、プレゼンテーション開始キーが押されると、プレゼンテーション処理を起動して、記録メディアインターフェイス部７を介して記録メディア８内にプレゼンテーション設定ファイルが存在するか否かを判別し（ステップＳ３０１）、プレゼンテーション設定ファイルがないときには、プレゼンテーション処理を行うことができないと判断して、処理を終了する。
【０１０７】
ステップＳ３０１で、プレゼンテーション設定ファイルがあると、システム制御部２は、当該プレゼンテーション設定ファイルを読み出し（ステップＳ３０２）、読み出したプレゼンテーション設定ファイルに基づいて、起点のコマに相当する画像ファイルを再生してＬＣＤ６に表示させる（ステップＳ３０３）。
【０１０８】
このとき、システム制御部２は、プレゼンテーション設定ファイルから移動可能な方向を判別し、移動可能であることを示すＯＳＤデータ（インデックス情報）、例えば、図１０に示す手矢印（インデックス画像）のデータを作成して、表示制御部５に設定し、ＬＣＤ６に表示する。
【０１０９】
図１０では、起点画像を表示したＬＣＤ６の画面が中央に示されており、ＯＳＤデータ画像である手矢印の方向で示された移動指示操作に応じて表示する画面がそれぞれの方向に示されている。なお、図１０では、画面表示を図形で描いているが、実際には、撮影した写真画像がＬＣＤ６に表示される。
【０１１０】
次に、システム制御部２は、コマ移動の指示入力操作（上キー、下キー、左キー、右キー、前キー、後キーの何れか）があるかチェックし（ステップＳ３０４）、コマ移動指示操作があると、設定ファイルから移動可能であるか否かを判別する（ステップＳ３０５）。
【０１１１】
ステップＳ３０５で、移動可能であると、システム制御部２は、指定された方向の画像を再生してＬＣＤ６に再生して表示し（ステップＳ３０６）、プレゼンテーション開始キーが押されたか、すなわち、プレゼンテーション終了指示操作があったかチェックする（ステップＳ３０７）。
【０１１２】
ステップＳ３０５で、移動可能な方向でないとき、または、ステップＳ３０４で、コマ移動指示操作がないときには、システム制御部２は、プレゼンテーション終了指示操作があったかチェックし（ステップＳ３０５）、プレゼンテーション終了指示操作がないときには、ステップＳ３０４に戻って、上記同様に処理する（ステップＳ３０４〜Ｓ３０７）。
【０１１３】
ステップＳ３０７で、プレゼンテーション終了指示操作があると、システム制御部２は、プレゼンテーション処理を終了するが、このとき、ＬＣＤ６に表示していたＯＳＤ表示（手矢印表示）も消去する。
【０１１４】
そして、デジタルスチルカメラ装置１は、上記図２のステップＳ１０８または図２１７で削除指示操作があると、削除処理を行うが、この削除処理を、図１１に示すように処理する。
【０１１５】
すなわち、システム制御部２は、削除指示操作があると、削除処理を起動して、記録メディアインターフェイス部７を介して記録メディア８内にプレゼンテーション設定ファイルが存在する否か判別し（ステップＳ４０１）、プレゼンテーション設定ファイルが存在しないときには、指定コマの画像ファイルを削除して（ステップＳ４１１）、処理を終了する。
【０１１６】
ステップＳ４０１で、プレゼンテーション設定ファイルがあると、システム制御部２は、当該プレゼンテーション設定ファイルを読み出し（ステップＳ４０２）、プレゼンテーション設定ファイル内に指定されたコマに相当する画像ファイルが登録されているか否かを判別する（ステップＳ４０３）。
【０１１７】
ステップＳ４０３で、プレゼンテーション設定ファイル内に指定されたコマに相当する画像ファイルが登録されていないときには、システム制御部２は、指定コマの画像ファイルを削除して（ステップＳ４１１）、処理を終了し、プレゼンテーション設定ファイル内に指定されたコマに相当する画像ファイルが登録されていると、指定された画像ファイルが起点画像であるか否かを判別する（ステップＳ４０４）。
【０１１８】
ステップＳ４０４で、指定された画像ファイルが起点画像であった場合には、システム制御部２は、プレゼンテーション設定ファイルを削除し（ステップＳ４０５）、指定コマの画像ファイルを削除して（ステップＳ４１１）、処理を終了する。
【０１１９】
ステップＳ４０４で、指定された画像ファイルが起点画像でない場合には、システム制御部２は、削除コマの画像への連結が３つ以上あるか否かを判別し（ステップＳ４０６）、３つ以上ある場合には、基軸方向以外の連結と、連結先の画像に連結されている画像の登録を全て削除する（ステップＳ４０７）。
【０１２０】
なお、基軸方向とは、図５の属性データにおいて、属性が右あるいは左であれば、右と左の２つ、上あるいは下であれば、上と下の２つ、前あるいは後ろであれば、前と後ろの２つの方向を指しており、すなわち、起点方向に直線で結ばれた方向を示している。
【０１２１】
ステップＳ４０６で、削除コマの画像への連結が３つ未満であるか、基軸方向以外の連結の削除を行うと、システム制御部２は、残りの２つ以下の連結先の設定データを変更する（ステップＳ４０８）。このとき、システム制御部２は、連結先が１つの場合には、その連結先から指定された画像への連結を削除し、連結先が２つの場合には、双方の画像を連結するように置き換える。
【０１２２】
次に、システム制御部２は、指定された画像の登録をプレゼンテーション設定データから削除し（ステップＳ４０９）、変更されたプレゼンテーション設定データを保存する（ステップＳ４１０）。
【０１２３】
そして、システム制御部２は、指定された画像ファイルを削除し（ステップＳ４１１）、処理を終了する。
【０１２４】
このように、本実施の形態のデジタルスチルカメラ装置１は、画像処理部４で再生された画像データに基づいてＬＣＤ６に画像を表示する際に、ＬＣＤ６に表示する表示画像の展開されるメモリのメモリ空間に、システム制御部２が、仮想平面を構築して当該仮想平面上に任意の配列で表示画像を配置する。
【０１２５】
したがって、ユーザの再生画像の利用形態、例えば、プレゼンテーション利用形態等に適した画像配置を行うことができ、当該画像配置に基づいて表示して、利用性を向上させることができる。
【０１２６】
また、本実施の形態のデジタルスチルカメラ装置１は、システム制御部２が、メモリ空間の仮想平面に対して奥方向の仮想空間を構築して当該奥方向に対しても任意の配列で表示画像を配置する。
【０１２７】
したがって、ユーザの再生画像の利用形態、例えば、プレゼンテーション利用形態等により一層適した画像配置を行うことができ、当該画像配置に基づいて表示して、利用性をより一層向上させることができる。
【０１２８】
さらに、本実施の形態のデジタルスチルカメラ装置１は、画像処理部４で再生された画像データに基づいて画像をＬＣＤ６に表示するに際して、ＬＣＤ６に表示する表示画像の展開されるメモリのメモリ空間の仮想平面上に任意の配列で配置されている表示画像の画像配置設定をシステム制御部２で解析し、表示画像の選択方向を上下左右方向及び斜め方向等の任意の方向に移動させる操作部で選択指示された方向に配置されている画像を画像処理部４で再生してＬＣＤ６に表示している。
【０１２９】
したがって、ユーザの再生画像の利用形態、例えば、プレゼンテーション利用形態等に適した画像配置の画像を表示することができ、利用性を向上させることができる。
【０１３０】
また、本実施の形態のデジタルスチルカメラ装置１は、操作部で、表示画像の選択方向が奥方向に移動指示されると、システム制御部２が、メモリ空間の仮想平面に対して奥方向の仮想空間上に配列で配置されている表示画像の画像配置設定をも解析し、当該操作部で選択指示された奥方向に配置されている画像を判定して、当該判定した画像を画像処理部４で再生してＬＣＤ６に表示している。
【０１３１】
したがって、ユーザの再生画像の利用形態、例えば、プレゼンテーション利用形態等により一層適した画像配置の画像を表示することができ、利用性をより一層向上させることができる。
【０１３２】
さらに、本実施の形態のデジタルスチルカメラ装置１は、システム制御部２の解析結果の画像配置情報に基づいて、メモリ空間に画像が存在して移動可能な方向を示すガイダンス情報として、重ね合わせ枠Ｊａ等をＬＣＤ６に表示している。
【０１３３】
したがって、画像画存在して移動可能な方向が分かるようにすることができ、利用性をより一層向上させることができる。
【０１３４】
また、本実施の形態のデジタルスチルカメラ装置１は、システム制御部２の解析結果の画像配置情報に基づいて、画像配置の状態を示すインデックス情報をＬＣＤ６に表示している。
【０１３５】
したがって、画像配置の状態が容易に把握できるようにすることができ、利用性をより一層向上させることができる。
【０１３６】
さらに、本実施の形態のデジタルスチルカメラ装置１は、インデックス情報を画像化したインデックス画像（手矢印）としてＬＣＤ６に表示している。
【０１３７】
したがって、画像配置の状態がより一層容易に把握できるようにすることができ、利用性をより一層向上させることができる。
【０１３８】
また、本実施の形態のデジタルスチルカメラ装置１は、ＬＣＤ６に表示する画像の大きさを画像配置の大きさに応じて変化させている。
【０１３９】
したがって、画像配置の全体像を容易に把握できるようにすることができ、利用性をより一層向上させることができる。
【０１４０】
さらに、本実施の形態のデジタルスチルカメラ装置１は、メモリの画像が削除されると、システム制御部２が、画像の配列を再配置し直している。
【０１４１】
したがって、画像配置を手操作でいちいち設定し直す手間を省くことができ、利用性をより一層向上させることができる。
【０１４２】
なお、デジタルスチルカメラ装置１は、上記図５に示したプレゼンテーション設定ファイルの内容を起点画像となる画像ファイル内のメタ情報に付加情報として保存してもよい。
【０１４３】
すなわち、デジタルスチルカメラ用画像ファイルには、その画像ファイルフォーマット規格Ｖｅｒ２．１に規定されているように、階層構造を有したヘッダー情報が付加されており、本実施の形態のデジタルスチルカメラ装置１は、図５に示したプレゼンテーション設定ファイルの内容を、このヘッダー情報（具体的には、ユーザ情報に関するタグのメーカノート領域、または、ユーザコメント領域）内に付加情報として格納する。
【０１４４】
そして、システム制御部２は、プレゼンテーション設定ファイルの内容を起点画像となる画像ファイル内のメタ情報に付加情報として格納する場合には、上記図３のステップＳ２０１、図９のステップＳ３０１及び図１１のステップＳ４０１では、記録メディア８内にプレゼンテーション設定ファイルがあるかチェックする代わりに、この付加情報の格納されている画像ファイルがあるか否かをチェックする。
【０１４５】
また、システム制御部２は、プレゼンテーション設定ファイルの内容を起点画像となる画像ファイル内のメタ情報に付加情報として格納する場合には、上記図３のステップＳ２０２、図９のステップＳ３０２及び図１１のステップＳ４０２では、起点画像の画像ファイル内の上記付加情報を読み出し、また、図３のステップＳ２０３では、初期状態のプレゼンテーション設定ファイルの内容を起点画像の画像ファイルのヘッダー情報に付加情報として設定格納する。
【０１４６】
さらに、システム制御部２は、図１１のステップＳ４０５では、プレゼンテーション設定ファイルの削除処理を行っているが、プレゼンテーション設定ファイルの内容を起点画像となる画像ファイル内のメタ情報に付加情報として格納する場合には、何の動作処理も行わない。
【０１４７】
このようにすると、画像配置の設定の有無を意識することなく、画像ファイルの複製や移動を行っても、画像配置を維持することができ、利用性をより一層向上させることができる。
【０１４８】
なお、上記説明では、プレゼンテーション設定ファイルの内容を起点画像となる画像ファイル内のメタ情報に付加情報として格納する場合について説明したが、各画像の設定をそれぞれの画像ファイル内に格納し、それらの設定内容を検索して、設定情報を構築してもよい。
【０１４９】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１５０】
例えば、上記実施の形態においては、デジタルスチルカメラ装置１内で画像の配列の設定を行う場合について説明したが、この画像の配列の設定を行う装置と画像配列の設定に基づいて画像の再生を行う装置は別であってもよい。例えば、パーソナルコンピュータ上で画像の配列の設定を行い、その設定情報に基づいてデジタルスチルカメラ装置１上で再生を行ってもよいし、あるいは、デジタルスチルカメラ装置１とパーソナルコンピュータを接続し、パーソナルコンピュータからのリモート操作により、デジタルスチルカメラ装置１内の画像の配列の設定を行ってもよい。
【０１５１】
また、本実施の形態においては、プレゼンテーションを目的とした好適な例として、３次元自然画像を回転して表示する例について示しているが、画像の内容については特に限定されるものではなく、例えば、文書を画像化したものであってもよい。すなわち、プレゼンテーションを目的としたものに限るものではなく、例えば、画像の分類にも活用することができる。
【０１５２】
さらに、本実施の形態においては、様々な操作キーを想定しているが、上記説明で用いている操作キーは、説明を容易とするために挙げたものであり、これらの操作キーに限られるものではなく、例えば、撮影で用いられるキー（ズームキー等）と兼用すると、より操作性の良いユーザーインターフェイスを実現することができる。
【０１５３】
また、本実施の形態においては、削除指定される画像が起点画像であったり、画像への連結が３つ以上ある場合には、その連結を削除するようにしているが、画像の処理は、上記処理に限定されるものではなく、例えば、他のアルゴリズムによって、他の画像へ連結を移動する等の処理を行ってもよい。
【０１５４】
【発明の効果】
請求項１記載の発明の画像再生装置によれば、再生手段で再生された画像データに基づいて表示手段に画像を表示する際に、表示手段に表示する表示画像の展開されるメモリのメモリ空間に、画像設定手段で、仮想平面を構築して当該仮想平面上に任意の配列で表示画像を配置するので、ユーザの再生画像の利用形態、例えば、プレゼンテーション利用形態等に適した画像配置を行うことができ、当該画像配置に基づいて表示して、利用性を向上させることができる。
【０１５５】
請求項２記載の発明の画像再生装置によれば、画像配置設定手段が、メモリ空間の仮想平面に対して奥方向の仮想空間を構築して当該奥方向に対しても任意の配列で表示画像を配置するので、ユーザの再生画像の利用形態、例えば、プレゼンテーション利用形態等により一層適した画像配置を行うことができ、当該画像配置に基づいて表示して、利用性をより一層向上させることができる。
【０１５６】
請求項３記載の発明の画像再生装置によれば、再生手段で再生された画像データに基づいて画像を表示手段に表示するに際して、表示手段に表示する表示画像の展開されるメモリのメモリ空間の仮想平面上に任意の配列で配置されている表示画像の画像配置設定を画像配置判定手段で解析し、表示画像の選択方向を上下左右方向及び斜め方向等の任意の方向に移動させる選択指示手段で選択指示された方向に配置されている画像を再生手段で再生して表示手段に表示するので、ユーザの再生画像の利用形態、例えば、プレゼンテーション利用形態等に適した画像配置の画像を表示することができ、利用性を向上させることができる。
【０１５７】
請求項４記載の発明の画像再生装置によれば、画像配置判定手段が、メモリ空間の仮想平面に対して奥方向の仮想空間上に任意の配列で配置されている表示画像の画像配置設定をも解析し、選択指示手段が、表示画像の選択方向を奥方向に対しても移動させ、メモリ空間において当該選択指示手段で選択指示された奥方向に配置されている画像を画像配置判定手段で判定して、当該判定した画像を再生手段で再生して表示手段に表示するので、ユーザの再生画像の利用形態、例えば、プレゼンテーション利用形態等により一層適した画像配置の画像を表示することができ、利用性をより一層向上させることができる。
【０１５８】
請求項５記載の発明の画像再生装置によれば、画像配置判定手段の解析結果の画像配置情報に基づいて、メモリ空間に画像が存在して移動可能な方向を示すガイダンス情報を表示手段に表示するので、画像画存在して移動可能な方向が分かるようにすることができ、利用性をより一層向上させることができる。
【０１５９】
請求項６記載の発明の画像再生装置によれば、画像配置判定手段の解析結果の画像配置情報に基づいて、画像配置の状態を示すインデックス情報を表示手段に表示するので、画像配置の状態が容易に把握できるようにすることができ、利用性をより一層向上させることができる。
【０１６０】
請求項７記載の発明の画像再生装置によれば、インデックス情報を画像化したインデックス画像として表示手段に表示するので、画像配置の状態がより一層容易に把握できるようにすることができ、利用性をより一層向上させることができる。
【０１６１】
請求項８記載の発明の画像再生装置によれば、表示手段に表示する画像の大きさを画像配置の大きさに応じて変化させるので、画像配置の全体像を容易に把握できるようにすることができ、利用性をより一層向上させることができる。
【０１６２】
請求項９記載の発明の画像再生装置によれば、メモリの画像が削除されると、画像再配置設定手段で、画像の配列を再配置し直すので、画像配置を手操作でいちいち設定し直す手間を省くことができ、利用性をより一層向上させることができる。
【０１６３】
請求項１０記載の発明の画像再生装置によれば、画像配置情報をメモリ内の画像ファイルのメタ情報として付加するので、画像配置の設定の有無を意識することなく、画像ファイルの複製や移動を行っても、画像配置を維持することができ、利用性をより一層向上させることができる。
【図面の簡単な説明】
【図１】本発明の画像再生装置の一実施の形態を適用したデジタルスチルカメラ装置のブロック構成図。
【図２】図１のデジタルスチルカメラ装置による再生処理を示すフローチャート。
【図３】図２のプレゼンテーション設定処理の詳細な処理を示すフローチャート。
【図４】図３のプレゼンテーション設定処理の続きの処理を示すフローチャート。
【図５】図１のデジタルスチルカメラ装置の記録メディア内に設定されるプレゼンテーション設定ファイルの一例を示す図。
【図６】図１のデジタルスチルカメラ装置によるプレゼンテーション画像配列の設定確認画面の一例を示す図。
【図７】画面移動が指定された場合の画像配列の設定確認画面の一例を示す図。
【図８】図６の設定確認画面で設定の追加が行われた場合の設定確認画面の一例を示す図。
【図９】図２のプレゼンテーション処理の詳細な処理を示すフローチャート。
【図１０】表示画像に移動可能方向をＯＳＤデータ画像で示している状態のＬＣＤの表示画面の一例を示す図。
【図１１】図１のデジタルスチルカメラ装置による削除処理を示すフローチャート。
【図１２】デジタルスチルカメラ装置の作成するコマ番号管理テーブルの一例を示す図。
【符号の説明】
１  デジタルスチルカメラ装置
２  システム制御部
３  撮像部
４  画像処理部
５  表示制御部
６  ＬＣＤ
６ａ〜６ｅ  表示画面
７  記録メディアインターフェイス部
８  記録メディア
９  ハードキーインターフェイス部
１１〜１３  画像
Ｆａ  フォーカス枠
Ｊａ  重ね合わせ枠
【図１】
2004260768.tif 000003
【図２】
2004260768.tif 000004
【図３】
2004260768.tif 000005
【図４】
2004260768.tif 000006
【図５】
2004260768.tif 000007
【図６】
2004260768.tif 000008
【図７】
2004260768.tif 000009
【図８】
2004260768.tif 000010
【図９】
2004260768.tif 000011
【図１０】
2004260768.tif 000012
【図１１】
2004260768.tif 000013
【図１２】
2004260768.tif 000014